(57)【要約】【課題】消灯セルの隣接する放電セルであっても安定した書込み動作を行い、品質の高い画像を表示する。【解決手段】プラズマディスプレイ装置の駆動方法であって、あるフィールドにおいて、表示すべき階調が点灯しきい値以上である放電セルをそのフィールドにおける点灯セルとし、表示すべき階調が消灯しきい値未満である放電セルをそのフィールドにおける消灯セルとし、消灯セルの隣接する点灯セルをそのフィールドにおける空間不安定セルとするとき、空間不安定セルに隣接する放電セルをそのフィールドの所定のサブフィールドで点灯させることを特徴とする。【選択図】図６
2011033921.tif 000002
【特許請求の範囲】
【請求項１】
走査電極と維持電極とデータ電極とを有する放電セルを複数配列したプラズマディスプレイパネルと、前記走査電極を駆動する走査電極駆動回路と、前記維持電極を駆動する維持電極駆動回路と、前記データ電極を駆動するデータ電極駆動回路と、画像信号に信号処理を施して前記データ電極駆動回路に供給する画像信号処理回路とを備えたプラズマディスプレイ装置の駆動方法であって、
あるフィールドにおいて、表示すべき階調が点灯しきい値以上である放電セルをそのフィールドにおける点灯セルとし、表示すべき階調が消灯しきい値未満である放電セルをそのフィールドにおける消灯セルとし、前記消灯セルの隣接する前記点灯セルをそのフィールドにおける空間不安定セルとするとき、
前記空間不安定セルに隣接する放電セルをそのフィールドの所定のサブフィールドで点灯させることを特徴とするプラズマディスプレイ装置の駆動方法。
【請求項２】
あるフィールドにおいて、左または右に消灯セルの隣接する前記空間不安定セルをそのフィールドにおける横不安定セルとし、上または下に消灯セルの隣接する前記空間不安定セルをそのフィールドにおける縦不安定セルとするとき、
前記横不安定セルの少なくとも左右に隣接する放電セルをそのフィールドの前記所定のサブフィールドで点灯させ、前記縦不安定セルの少なくとも上下に隣接する放電セルをそのフィールドの前記所定のサブフィールドで点灯させることを特徴とする請求項１に記載のプラズマディスプレイ装置の駆動方法。
【請求項３】
前記所定のサブフィールドは、輝度重みの最も小さいサブフィールドを含むことを特徴とする請求項１に記載のプラズマディスプレイ装置の駆動方法。
【発明の詳細な説明】
【技術分野】
【０００１】
本発明は、交流面放電型のプラズマディスプレイパネルを用いたプラズマディスプレイ装置の駆動方法に関する。
【背景技術】
【０００２】
交流面放電型のプラズマディスプレイパネル（以下、「パネル」と略記する）は、走査電極と維持電極とデータ電極とを有する放電セルを複数備え、放電セル内でガス放電により発生させた紫外線で赤色、緑色および青色の各色の蛍光体を励起発光させてカラー表示を行っている。
【０００３】
パネルを駆動する方法としては、初期化期間と書込み期間と維持期間とを有するサブフィールドを複数用いて１つのフィールドを構成し、放電セルを点灯させるサブフィールドの組み合わせによって階調表示を行う、いわゆるサブフィールド法が一般的である。初期化期間には初期化放電を発生し、続く書込み動作に必要な壁電荷を形成する初期化動作を行う。初期化動作には、放電の履歴に関係なく放電セルで初期化放電を発生させる強制初期化動作と、直前のサブフィールドで書込み放電を行った放電セルのみで初期化放電を発生させる選択初期化動作とがある。書込み期間には表示する画像に応じて放電セルで選択的に書込み放電を発生し壁電荷を形成する書込み動作を行う。また維持期間には表示電極対に交互に維持パルスを印加して維持放電を発生させ、対応する放電セルの蛍光体層を発光させる維持動作を行う。
【０００４】
サブフィールド法の中でも最も低い階調である黒を表示する際の輝度を下げ、階調表示に関係しない発光を極力減らしてコントラストを向上させる駆動方法が検討されている。例えば特許文献１には、強制初期化動作を行う頻度を１フィールドに１回とし、緩やかに変化する傾斜波形電圧を用いて強制初期化動作を行う駆動方法が開示されている。
【０００５】
しかしながら、強制初期化動作には放電遅れ時間を短くして書込み放電を確実に発生させるためのプライミングを発生するという働きがある。そのため単純に強制初期化動作を省略すると、黒を表示する放電セル（消灯セル）から高い階調を表示する放電セル（点灯セル）に切り替わる放電セル（点灯遷移セル）において、書込み放電の放電遅れ時間が長くなりすぎて書込み動作が不安定となり、高い階調の表示ができなくなるおそれがあった。この問題を解決する方法として、例えば特許文献２には、点灯遷移セルが最初に書込み動作を行うフィールドまたはその前のフィールドにおいて、点灯遷移セルに隣接する放電セルを強制的に点灯させてプライミングを発生させ、点灯遷移セルの書込み放電の補助を行って書込み動作を安定させる方法が記載されている。
【先行技術文献】
【特許文献】
【０００６】
【特許文献１】特開２０００−２４２２２４号公報
【特許文献２】特開２００８−２１６５５６号公報
【発明の概要】
【発明が解決しようとする課題】
【０００７】
近年、パネルはますます大画面化、高精細化され、それに伴い表示画像のさらなる高コントラスト化、高画質化が求められている。特許文献１には、強制初期化動作を行う頻度を１フィールドに１回とすることによりコントラストを高めた駆動方法が記載されているが、それ以上にコントラストを高めるためには、強制初期化動作を行う頻度をさらに減らせばよい。
【０００８】
しかしながら、強制初期化動作の頻度をさらに減らすと、点灯遷移セルだけでなく、継続的に高い階調を表示している点灯セルであっても、周囲が消灯セルに囲まれている場合には書込み動作が不安定になるおそれがある。この傾向は、点灯セルの周囲の消灯セルが多いほど強くなり、また強制初期化動作の頻度が少なくなるほど強くなる。
【０００９】
本発明は上記の課題に鑑みなされたものであり、消灯セルの隣接する放電セルであっても安定した書込み動作を行い、品質の高い画像を表示することができるプラズマディスプレイ装置の駆動方法を提供することを目的とする。
【課題を解決するための手段】
【００１０】
上記目的を達成するために本発明は、走査電極と維持電極とデータ電極とを有する放電セルを複数配列したパネルと、走査電極を駆動する走査電極駆動回路と、維持電極を駆動する維持電極駆動回路と、データ電極を駆動するデータ電極駆動回路と、画像信号に信号処理を施してデータ電極駆動回路に供給する画像信号処理回路とを備えたプラズマディスプレイ装置の駆動方法であって、あるフィールドにおいて、表示すべき階調が点灯しきい値以上である放電セルをそのフィールドにおける点灯セルとし、表示すべき階調が消灯しきい値未満である放電セルをそのフィールドにおける消灯セルとし、消灯セルの隣接する点灯セルをそのフィールドにおける空間不安定セルとするとき、空間不安定セルに隣接する放電セルをそのフィールドの所定のサブフィールドで点灯させることを特徴とする。この方法により、消灯セルの隣接する放電セルであっても安定した書込み動作を行い、品質の高い画像を表示することができるプラズマディスプレイ装置の駆動方法を提供することができる。
【００１１】
また本発明のプラズマディスプレイ装置の駆動方法は、あるフィールドにおいて、左または右に消灯セルの隣接する空間不安定セルをそのフィールドにおける横不安定セルとし、上または下に消灯セルの隣接する空間不安定セルをそのフィールドにおける縦不安定セルとするとき、横不安定セルの少なくとも左右に隣接する放電セルをそのフィールドの所定のサブフィールドで点灯させ、縦不安定セルの少なくとも上下に隣接する放電セルをそのフィールドの所定のサブフィールドで点灯させることが望ましい。
【００１２】
また本発明のプラズマディスプレイ装置の駆動方法の所定のサブフィールドは、輝度重みの最も小さいサブフィールドを含むことが望ましい。
【発明の効果】
【００１３】
本発明によれば、消灯セルの隣接する放電セルであっても安定した書込み動作を行い、品質の高い画像を表示することができるプラズマディスプレイ装置の駆動方法を提供することが可能となる。
【図面の簡単な説明】
【００１４】
【図１】本発明の実施の形態におけるプラズマディスプレイ装置に用いるパネルの分解斜視図である。
【図２】同プラズマディスプレイ装置に用いるパネルの電極配列図である。
【図３】同プラズマディスプレイ装置に用いるパネルの各電極に印加する駆動電圧波形図である。
【図４Ａ】空間不安定セルの例を示す図である。
【図４Ｂ】空間不安定セルの例を示す図である。
【図４Ｃ】空間不安定セルの例を示す図である。
【図４Ｄ】空間不安定セルの例を示す図である。
【図４Ｅ】空間不安定セルの例を示す図である。
【図４Ｆ】空間不安定セルの例を示す図である。
【図５Ａ】本発明の実施の形態における補助点灯セルのパターンを示す図である。
【図５Ｂ】同補助点灯セルのパターンを示す図である。
【図５Ｃ】同補助点灯セルのパターンを示す図である。
【図５Ｄ】同補助点灯セルのパターンを示す図である。
【図５Ｅ】同補助点灯セルのパターンを示す図である。
【図５Ｆ】同補助点灯セルのパターンを示す図である。
【図５Ｇ】同補助点灯セルのパターンを示す図である。
【図５Ｈ】同補助点灯セルのパターンを示す図である。
【図６】本発明の実施の形態における空間不安定セルと補助点灯セルとの対応の一例を示す図である。
【図７】同プラズマディスプレイ装置の回路ブロック図である。
【図８】同プラズマディスプレイ装置の画像信号処理回路の回路ブロック図である。
【図９】同プラズマディスプレイ装置の不安定セル検出部の回路ブロック図である。
【図１０】同プラズマディスプレイ装置の補助信号発生部の回路ブロック図である。
【図１１】同プラズマディスプレイ装置の画像信号遅延部、画像データ変換部、画像データ合成部の回路ブロック図である。
【発明を実施するための形態】
【００１５】
以下、本発明の実施の形態におけるプラズマディスプレイ装置について、図面を用いて説明する。
【００１６】
（実施の形態）
図１は、本発明の実施の形態におけるプラズマディスプレイ装置に用いるパネル１０の分解斜視図である。ガラス製の前面基板１１上には、走査電極１２と維持電極１３とからなる表示電極対１４が複数形成されている。そして表示電極対１４を覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色、緑色および青色の各色に発光する蛍光体層２５が設けられている。
【００１７】
これら前面基板１１と背面基板２１とは、微小な放電空間を挟んで表示電極対１４とデータ電極２２とが交差するように対向配置され、その外周部をガラスフリット等の封着材によって封着されている。そして放電空間には、放電ガスとして、例えばネオンとキセノンとの混合ガスが封入されている。放電空間は隔壁２４によって複数の区画に仕切られており、表示電極対１４とデータ電極２２とが交差する部分に放電セルが形成されている。そしてこれらの放電セルが放電、発光することにより画像が表示される。
【００１８】
しかし、パネル１０の構造は上述したものに限られるわけではなく、例えばストライプ状の隔壁を備えたものであってもよい。
【００１９】
図２は、本発明の実施の形態におけるプラズマディスプレイ装置に用いるパネル１０の電極配列図である。パネル１０には、行方向に長いｎライン分の走査電極ＳＣ１〜ＳＣｎ（図１の走査電極１２）およびｎライン分の維持電極ＳＵ１〜ＳＵｎ（図１の維持電極１３）が配列され、列方向に長いｍ本のデータ電極Ｄ１〜Ｄｍ（図１のデータ電極２２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００２０】
次に、パネル１０を駆動するための駆動電圧波形とその動作について説明する。プラズマディスプレイ装置は、サブフィールド法、すなわち１フィールドを複数のサブフィールドに分割し、サブフィールド毎に各放電セルの点灯・非点灯を制御することによって画像を表示する。それぞれのサブフィールドは初期化動作を行う初期化期間、書込み動作を行う書込み期間、および維持動作を行う維持期間を有する。初期化期間には初期化放電を発生し、続く書込み放電に必要な壁電荷を各電極上に形成する。このときの初期化動作には、放電の履歴に関係なく放電セルで初期化放電を発生させる強制初期化動作と、直前のサブフィールドで書込み放電を行った放電セルのみで初期化放電を発生させる選択初期化動作とがある。書込み期間には、点灯させるべき放電セルで選択的に書込み放電を発生し壁電荷を形成する。そして維持期間には、サブフィールド毎にあらかじめ決められた輝度重みに応じた数の維持パルスを表示電極対に交互に印加して、書込み放電を発生した放電セルで維持放電を発生させて、放電セルを点灯させる。
【００２１】
サブフィールド構成としては、１フィールドを、例えば１０のサブフィールド（ＳＦ１、ＳＦ２、・・・、ＳＦ１０）に分割し、各サブフィールドはそれぞれ、例えば（１、２、３、６、１１、１８、３０、４４、６０、８０）の輝度重みを持つ。そして点灯させるサブフィールドの組み合わせで任意の階調を表示することができる。例えば階調「４」を表示する放電セルは輝度重み「１」のＳＦ１と輝度重み「３」のＳＦ３とで点灯させ、階調「９」を表示する放電セルは輝度重み「１」のＳＦ１と輝度重み「２」のＳＦ２と輝度重み「６」のＳＦ４とで点灯させればよい。また、黒、すなわち階調「０」は全てのサブフィールドで放電セルを点灯させないことで表示することができる。
【００２２】
また、以下ではＳＦ１の初期化期間において強制初期化動作を行いＳＦ２〜ＳＦ１０の初期化期間において選択初期化動作を行うものとして説明するが、コントラストを向上させるために、強制初期化動作を行う頻度を数フィールドに１回とすることができる。例えば、ＳＦ１の初期化期間において強制初期化動作を行いＳＦ２〜ＳＦ１０の初期化期間において選択初期化動作を行うフィールドと、全てのサブフィールドの初期化期間において選択初期化動作を行うフィールドとを交互に繰り返すことで、強制初期化動作を行う頻度を２フィールドに１回とすることができる。これによりコントラストを２倍に向上することができる。さらに、全てのサブフィールドの初期化期間において選択初期化動作を行うフィールドを増やすことにより強制初期化動作を行う頻度を減らし、コントラストをさらに向上させることができる。
【００２３】
本実施の形態においては、強制初期化動作を行う頻度を抑えた場合であっても消灯セルの隣接する放電セルで安定した書込み放電を発生させるための画像信号処理を行っている。しかしその詳細は後述することとして、まずパネル１０の各電極に印加する駆動電圧波形の概要について説明する。
【００２４】
図３は、本発明の実施の形態におけるプラズマディスプレイ装置に用いるパネル１０の各電極に印加する駆動電圧波形図であり、強制初期化動作を行うＳＦ１と選択初期化動作を行うＳＦ２とを示している。
【００２５】
ＳＦ１の初期化期間では、データ電極Ｄ１〜Ｄｍに電圧０（Ｖ）を印加し、維持電極ＳＵ１〜ＳＵｎにも電圧０（Ｖ）を印加する。そして走査電極ＳＣ１〜ＳＣｎには、維持電極ＳＵ１〜ＳＵｎに対する放電開始電圧以下の電圧Ｖｉ１から放電開始電圧を超える電圧Ｖｉ２に向かって緩やかに上昇する上り傾斜波形電圧を印加する。すると、走査電極ＳＣ１〜ＳＣｎと維持電極ＳＵ１〜ＳＵｎとの間、走査電極ＳＣ１〜ＳＣｎとデータ電極Ｄ１〜Ｄｍとの間でそれぞれ微弱な初期化放電が起こり、走査電極ＳＣ１〜ＳＣｎ上に負の壁電圧が蓄積されるとともにデータ電極Ｄ１〜Ｄｍ上および維持電極ＳＵ１〜ＳＵｎ上に正の壁電圧が蓄積される。ここで、電極上の壁電圧とは電極を覆う誘電体層上、保護層上、蛍光体層上等に蓄積された壁電荷により生じる電圧を表す。
【００２６】
次に、維持電極ＳＵ１〜ＳＵｎに電圧Ｖｅ１を印加し、走査電極ＳＣ１〜ＳＣｎに電圧Ｖｉ３から電圧Ｖｉ４に向かって緩やかに下降する下り傾斜波形電圧を印加する。すると走査電極ＳＣ１〜ＳＣｎと維持電極ＳＵ１〜ＳＵｎとの間、走査電極ＳＣ１〜ＳＣｎとデータ電極Ｄ１〜Ｄｍとの間で再び微弱な初期化放電が起こる。そして、走査電極ＳＣ１〜ＳＣｎ上の負の壁電圧および維持電極ＳＵ１〜ＳＵｎ上の正の壁電圧が弱められるとともに、データ電極Ｄ１〜Ｄｍ上の正の壁電圧が書込み動作に適した値に調整される。
【００２７】
このようにしてＳＦ１の初期化期間では強制初期化動作を行い、以降の放電を発生させやすくするためのプライミングを発生するとともに書込み放電に必要な壁電荷を形成する。
【００２８】
なお、ＳＦ１の初期化期間で選択初期化動作を行う場合には、後述するＳＦ２の初期化期間における駆動電圧波形と同様の駆動電圧波形を各電極に印加すればよい。
【００２９】
続くＳＦ１の書込み期間では、まず走査電極ＳＣ１〜ＳＣｎに電圧Ｖｃを、データ電極Ｄ１〜Ｄｍに電圧０（Ｖ）を、維持電極ＳＵ１〜ＳＵｎに電圧Ｖｅ２をそれぞれ印加する。
【００３０】
次に、１ライン目の走査電極ＳＣ１に電圧Ｖａの走査パルスを印加するとともに、点灯すべき放電セルに対応するデータ電極Ｄｋに電圧Ｖｄの書込みパルスを印加する。すると、データ電極Ｄｋと走査電極ＳＣ１との間および維持電極ＳＵ１と走査電極ＳＣ１との間で書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。このようにして、１ライン目に点灯させるべき放電セルで書込み放電を起こして各電極上に壁電圧を蓄積する書込み動作が行われる。一方、書込みパルスを印加しなかったデータ電極Ｄ１〜Ｄｍと走査電極ＳＣ１との交差部の電圧は放電開始電圧を超えないので、書込み放電は発生しない。
【００３１】
以上の書込み動作をｎライン目の放電セルに至るまで繰り返し、点灯すべき放電セルに対して選択的に書込み放電を発生させ壁電荷を形成する。
【００３２】
続くＳＦ１の維持期間では、まず維持電極ＳＵ１〜ＳＵｎに電圧０（Ｖ）を印加するとともに走査電極ＳＣ１〜ＳＣｎに電圧Ｖｓの維持パルスを印加する。すると書込み放電を起こした放電セルでは、走査電極ＳＣｉ上と維持電極ＳＵｉ上との電位差は電圧Ｖｓに走査電極ＳＣｉ上の壁電圧と維持電極ＳＵｉ上の壁電圧との差を加算したものとなり放電開始電圧を超える。そして、走査電極ＳＣｉと維持電極ＳＵｉとの間に維持放電が起こり、このとき発生した紫外線により蛍光体層２５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。一方、書込み期間において書込み放電が起きなかった放電セルでは維持放電は発生せず、初期化期間の終了時における壁電圧が保たれる。
【００３３】
続いて、走査電極ＳＣ１〜ＳＣｎには電圧０（Ｖ）を印加するとともに維持電極ＳＵ１〜ＳＵｎに電圧Ｖｓの維持パルスを印加する。すると、維持放電を起こした放電セルでは再び維持放電が起こり、蛍光体層２５が発光する。そして維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに応じた数の維持パルスを印加して維持放電を継続して発生させる。こうして、書込み期間において書込み放電を起こした放電セルを点灯させる。
【００３４】
そして維持期間の最後には、電圧Ｖｒに向かって緩やかに上昇する上り傾斜波形電圧を走査電極ＳＣ１〜ＳＣｎに印加する。すると維持放電を行った放電セルでは消去放電が発生して、データ電極Ｄｋ上の正の壁電圧を残したまま、走査電極ＳＣｉ上および維持電極ＳＵｉ上の壁電圧が消去される。こうして維持期間における維持動作が終了する。
【００３５】
続くＳＦ２の初期化期間では、維持電極ＳＵ１〜ＳＵｎに電圧Ｖｅ１を印加し、走査電極ＳＣ１〜ＳＣｎには電圧Ｖｉ４に向かって緩やかに下降する傾斜波形電圧を印加する。すると直前のサブフィールドであるＳＦ１の維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。一方、直前のサブフィールドであるＳＦ１で維持放電を起こさなかった放電セルについては放電することはなく、ＳＦ１の初期化動作終了時における壁電荷がそのまま保たれる。
【００３６】
このようにしてＳＦ２の初期化期間では、直前のサブフィールドで書込み放電、維持放電を発生した放電セルでのみ初期化放電を発生させる選択初期化動作を行う。
【００３７】
続くＳＦ２の書込み期間の動作はＳＦ１の書込み期間の動作と同様である。すなわち走査電極ＳＣ１、ＳＣ２、・・・、ＳＣｎに走査パルスを順次印加するとともに、点灯すべき放電セルに対応するデータ電極Ｄｋに電圧Ｖｄの書込みパルスを印加して書込み放電を発生させ、続く維持放電に必要な壁電荷を形成する。
【００３８】
続くＳＦ２の維持期間の動作もＳＦ１の維持期間の動作と同様である。すなわち輝度重みに応じた数の維持パルスを表示電極対に印加し、書込み期間において書込み放電を起こした放電セルを点灯させる。そして維持期間の最後には壁電圧を消去する消去放電を行う。
【００３９】
続くＳＦ３〜ＳＦ１０における動作も、維持パルスの数を除いてＳＦ２の動作と同様であるため、説明を省略する。
【００４０】
なお、本実施の形態においては、走査電極ＳＣ１〜ＳＣｎに印加する電圧Ｖｉ１は１４５（Ｖ）、電圧Ｖｉ２は３００（Ｖ）、電圧Ｖｉ３は１９０（Ｖ）、電圧Ｖｉ４は−１５０（Ｖ）、電圧Ｖｃは−１０（Ｖ）、電圧Ｖａは−１５５（Ｖ）、電圧Ｖｓは１９０（Ｖ）、電圧Ｖｒは１９０（Ｖ）であり、維持電極ＳＵ１〜ＳＵｎに印加する電圧Ｖｅ１は１４０（Ｖ）、電圧Ｖｅ２は１５５（Ｖ）である。また走査電極ＳＣ１〜ＳＣｎに印加する上り傾斜波形電圧および下り傾斜波形電圧の傾斜はともに１２（Ｖ／μｓ）以下である。またデータ電極Ｄ１〜Ｄｍに印加する電圧Ｖｄは７５（Ｖ）である。しかしこれらの電圧値は上述した値に限定されるものではなく、パネルの放電特性やプラズマディスプレイ装置の仕様にもとづき最適に設定することが望ましい。
【００４１】
次に、消灯セルの隣接する放電セルで安定した書込み放電を発生させるための画像信号処理の詳細について説明する。
【００４２】
本実施の形態においては、消灯セルの隣接する点灯セルに対して、その点灯セルに隣接する放電セル、さらにその周囲の放電セルも画像表示品質を大きく損なわない範囲で点灯させてプライミングを発生させ、そのプライミングで点灯セルの書込み動作を補助することで、書込み放電を安定して発生させている。
【００４３】
まず、書込み動作の補助を必要とする放電セルについて説明する。本実施の形態においては、あるフィールドにおいて、表示すべき階調が点灯しきい値以上である放電セルをそのフィールドにおける点灯セルと定義し、表示すべき階調が消灯しきい値未満である放電セルをそのフィールドにおける消灯セルと定義する。そして消灯セルの隣接する点灯セルを空間不安定セルと定義する。このように定義された空間不安定セルは、本実施の形態において書込み放電の補助を必要とする放電セルであり、その空間不安定セルに隣接する放電セルをそのフィールドの所定のサブフィールドで点灯させる。点灯しきい値としては、例えば階調「３２」であり、消灯しきい値としては、例えば階調「１」である。
【００４４】
図４Ａ〜図４Ｆは、空間不安定セルの例を示す図であり、白で示した放電セルは点灯セル、黒で示した放電セルは消灯セルを表している。図４Ａ〜図４Ｆには縦５セル×横９セル＝４５セルを図示しており、中央の放電セルが注目する空間不安定セルである。
【００４５】
図４Ａに示した空間不安定セルは、上下左右の全てに消灯セルが隣接するので横不安定セルであり、かつ縦不安定セルである。また、図４Ｂに示した空間不安定セルも左および上に消灯セルが隣接するので横不安定セルであり、かつ縦不安定セルである。図４Ｃに示した空間不安定セルは左右に消灯セルが隣接するので横不安定セルであり、図４Ｄに示した空間不安定セルも右に消灯セルが隣接するので横不安定セルである。また図４Ｅに示した空間不安定セルは上下に消灯セルが隣接するので縦不安定セルであり、図４Ｆに示した空間不安定セルも下に消灯セルが隣接するので縦不安定セルである。
【００４６】
このように、本実施の形態においては、上下左右のいずれかに消灯セルの隣接する点灯セルを空間不安定セルとして扱う。
【００４７】
次に、空間不安定セルの書込み動作の補助の方法について説明する。上述したように空間不安定セルに隣接する放電セルおよびその周囲の放電セルも点灯させて書込み動作の補助を行うが、本実施の形態においては、空間不安定セルをさらに２つに分けて以下のように定義する。消灯セルが左右のいずれかに隣接する空間不安定セルを横不安定セルと定義し、消灯セルが上下のいずれかに隣接する空間不安定セルを縦不安定セルと定義する。ただし、同じラインの走査電極を共有する放電セルが並ぶ方向を「左右方向」または「横方向」、それに直交する方向を「上下方向」または「縦方向」とした。そして横不安定セルの少なくとも左右に隣接する放電セルをそのフィールドの所定のサブフィールドで点灯させ、縦不安定セルの少なくとも上下に隣接する放電セルをそのフィールドの所定のサブフィールドで点灯させる。このように空間不安定セルの状態により、補助するために点灯させる放電セル（補助点灯セル）を次のいくつかのパターンから選択している。
【００４８】
図５Ａ〜図５Ｈは、本発明の実施の形態における補助点灯セルのパターンを示す図であり、白で示した中央の放電セルが補助される空間不安定セル、ハッチングで示した放電セルは補助点灯セルを表している。
【００４９】
図５Ａは、空間不安定セルの左右に隣接する放電セルを補助点灯セルとするパターンである。また図５Ｂは、空間不安定セルの左右に隣接する放電セルおよびさらにそれら補助点灯セルの左右に隣接する放電セルを補助点灯セルとするパターンである。図５Ａ、図５Ｂに示した補助点灯セルは、主に横不安定セルの補助に用いられる。
【００５０】
図５Ｃは、空間不安定セルの上下に隣接する放電セルを補助点灯セルとするパターンである。また図５Ｄは、空間不安定セルの上下に隣接する放電セルおよびさらにそれら補助点灯セルの左右に隣接する放電セルを補助点灯セルとするパターンである。図５Ｃ、図５Ｄに示した補助点灯セルは、主に縦不安定セルの補助に用いられるが、横不安定セルに対して用いてもよい。
【００５１】
これら図５Ａ〜図５Ｄを組み合わせたパターンも可能である。図５Ｅは、図５Ａおよび図５Ｃを組み合わせたパターンであり、空間不安定セルの左右および上下に隣接する放電セルを補助点灯セルとするパターンである。図５Ｆは、図５Ｂおよび図５Ｃを組み合わせたパターンであり、図５Ｇは、図５Ａおよび図５Ｄを組み合わせたパターンである。また、図５Ｈは、図５Ｂおよび図５Ｄを組み合わせたパターンであり、空間不安定セルの上下左右に隣接する放電セルおよびさらにそれら補助点灯セルの左右に隣接する放電セルを補助点灯セルとするパターンである。
【００５２】
そしてこれら補助点灯セルを点灯させるサブフィールドでは、表示すべき階調にかかわらず空間不安定セル自身も点灯させることが重要である。これにより補助点灯セルで発生したプライミングで空間不安定セルの書込み動作を補助することができる。
【００５３】
これらの補助の方法は、補助点灯セルが多いほど書込み動作を補助する効果は大きく、また補助点灯セルを点灯させるサブフィールドを増やすほど書込み動作を補助する効果は大きくなる。しかしその反面、表示画像に与える影響も大きくなる。そのため本実施の形態においては、補助点灯セルを点灯させる所定のサブフィールドを最も輝度重みの小さいサブフィールドであるＳＦ１に限定するとともに、補助点灯セルとする放電セルのパターンを、強制初期化動作を行う頻度および空間不安定セルが横不安定セルであるか縦不安定セルであるかによって設定している。
【００５４】
図６は、本発明の実施の形態における空間不安定セルと補助点灯セルとの対応の一例を示す図である。強制初期化動作の頻度が１フィールドに１回以上、例えばフィールド毎に強制初期化動作を行う場合には、空間不安定セルが横不安定セルであり縦不安定セルでなければ図５Ａに示したパターンを用い、空間不安定セルが縦不安定セルであり横不安定セルでなければ図５Ｃに示したパターンを用いる。また空間不安定セルが横不安定セルでありかつ縦不安定セルであれば図５Ｅに示したパターンを用いる。
【００５５】
強制初期化動作の頻度が１フィールドに１回未満、例えば２フィールドに１回の割合で行う場合には、空間不安定セルが横不安定セルであり縦不安定セルでなければ図５Ｂに示したパターンを用い、空間不安定セルが縦不安定セルであり横不安定セルでなければ図５Ｄに示したパターンを用いる。また空間不安定セルが横不安定セルでありかつ縦不安定セルであれば図５Ｇに示したパターンを用いる。
【００５６】
もちろん、空間不安定セルに対する補助の方法は図６に示したパターンに限定されるものではないが、強制初期化動作の頻度が多い場合には補助点灯セルの数の少ないパターンを用い、少ない場合には補助点灯セルの数の多いパターンを用いることが望ましい。また、空間不安定セルが横不安定セルであり縦不安定セルでない場合、または縦不安定セルであり横不安定セルでない場合であっても、図５Ｅ〜図５Ｈに示したパターンを用いてもよい。
【００５７】
このように本実施の形態においては、空間不安定セルの周囲の放電セルを補助点灯セルとして所定のサブフィールドで点灯させている。これにより、空間不安定セルであっても安定した書込み動作を行うことができる。
【００５８】
次に、本実施の形態におけるプラズマディスプレイ装置の駆動回路について説明する。図７は、本発明の実施の形態におけるプラズマディスプレイ装置３０の回路ブロック図である。プラズマディスプレイ装置３０は、パネル１０とその駆動回路とを備える。駆動回路は、画像信号処理回路３１、データ電極駆動回路３２、走査電極駆動回路３３、維持電極駆動回路３４、タイミング発生回路３５および各回路ブロックに必要な電源を供給する電源回路（図示せず）を備えている。
【００５９】
画像信号処理回路３１は、入力した赤、緑、青の画像信号をサブフィールド毎の点灯・非点灯を示す画像データに変換するとともに、空間不安定セルで安定した書込み放電を発生させるための画像信号処理を行う。データ電極駆動回路３２はサブフィールド毎の画像データを各データ電極Ｄ１〜Ｄｍに対応する書込みパルスに変換し各データ電極Ｄ１〜Ｄｍに印加する。
【００６０】
タイミング発生回路３５は垂直同期信号Ｖおよび水平同期信号Ｈにもとづき、各回路ブロックの動作を制御する各種のタイミング信号を発生し、それぞれの回路ブロックへ供給する。特に、強制初期化動作の頻度を示す初期化係数を画像信号処理回路３１へ供給している。初期化係数の値は、例えば１フィールドに２回強制初期化動作を行う場合には「２」であり、１フィールドに１回強制初期化動作を行う場合には「１」であり、２フィールドに１回強制初期化動作を行う場合には「０．５」である。走査電極駆動回路３３は、タイミング信号にもとづいて上述した駆動電圧波形を発生し各走査電極ＳＣ１〜ＳＣｎのそれぞれに印加する。維持電極駆動回路３４は、タイミング信号にもとづいて上述した駆動電圧波形を発生し維持電極ＳＵ１〜ＳＵｎに印加する。
【００６１】
図８は、本発明の実施の形態におけるプラズマディスプレイ装置３０の画像信号処理回路３１の回路ブロック図である。画像信号処理回路３１は、画像信号配列部４１と、不安定セル検出部４２と、補助信号発生部４３と、画像信号遅延部４４と、画像データ変換部４５と、画像データ合成部４６とを有する。
【００６２】
画像信号配列部４１は、赤、緑、青の各色に対応する３系統のデジタル画像信号をパネル１０の蛍光体の配列に合わせて１系統のデジタル画像信号に並び替える。なお、並び替えられた画像信号は、パネル１０の走査電極ＳＣ１〜ＳＣｎのそれぞれに対応し、かつデータ電極Ｄ１〜Ｄｍのそれぞれに対応する階調を有する画像信号である。
【００６３】
不安定セル検出部４２は空間不安定セルを検出する。本実施の形態においては横不安定セルと縦不安定セルとを独立に検出して、横不安定セル検出信号と縦不安定セル検出信号とを出力する。
【００６４】
図９は、本発明の実施の形態におけるプラズマディスプレイ装置３０の不安定セル検出部４２の回路ブロック図である。不安定セル検出部４２は、１クロック遅延部５１ｕ、１クロック遅延部５１ｃ、１クロック遅延部５１ｒ、１ライン遅延部５１ｌ、１ライン遅延部５１ｄ、比較部５２ｕ、比較部５２ｌ、比較部５２ｃ、比較部５２ｒ、比較部５２ｄ、ＯＲゲート５３ｕｄ、ＯＲゲート５３ｒｌ、ＡＮＤゲート５４ｕｄ、ＡＮＤゲート５４ｒｌを有する。
【００６５】
１クロック遅延部５１ｕは入力した画像信号を１クロック分遅延し、１ライン遅延部５１ｌは入力した画像信号を１ライン分遅延する。なお画像信号を１ライン分遅延するとは画像信号を走査電極１本分（垂直方向に１放電セル分）遅延することであり、画像信号を１クロック分遅延するとは画像信号をデータ電極１本分（水平方向に１放電セル分）遅延することである。１クロック遅延部５１ｃは１ライン遅延部５１ｌの出力を１クロック分遅延する。また１クロック遅延部５１ｒは１クロック遅延部５１ｃの出力を１クロック分遅延し、１ライン遅延部５１ｄは１クロック遅延部５１ｃの出力を１ライン分遅延する。
【００６６】
その結果、１クロック遅延部５１ｃから出力される画像信号、すなわち１ラインと１クロック分遅延された画像信号を表示する放電セルに注目すると、１クロック遅延部５１ｕの出力は注目する放電セルの上に隣接する放電セルが表示する画像信号に対応する。同様に、１ライン遅延部５１ｌの出力は注目する放電セルの左に隣接する放電セルが表示する画像信号に対応し、１クロック遅延部５１ｒの出力は注目する放電セルの右に隣接する放電セルが表示する画像信号に対応し、１ライン遅延部５１ｄの出力は注目する放電セルの下に隣接する放電セルが表示する画像信号に対応する。
【００６７】
比較部５２ｕは、１クロック遅延部５１ｕの出力が消灯しきい値未満であれば、「Ｈ」レベルを出力する。したがって注目する放電セルの上に隣接する放電セルが消灯セルであれば「Ｈ」レベルを出力する。同様に、比較部５２ｌは注目する放電セルの左に隣接する放電セルが消灯セルであれば「Ｈ」レベルを出力し、比較部５２ｒは注目する放電セルの右に隣接する放電セルが消灯セルであれば「Ｈ」レベルを出力し、比較部５２ｄは注目する放電セルの下に隣接する放電セルが消灯セルであれば「Ｈ」レベルを出力する。一方、比較部５２ｃは１クロック遅延部５１ｃの出力が点灯しきい値以上であれば「Ｈ」レベルを出力する。したがって注目する放電セルが点灯セルであれば「Ｈ」レベルを出力する。
【００６８】
ＯＲゲート５３ｕｄは比較部５２ｕの出力と比較部５２ｄの出力との論理和を出力し、ＡＮＤゲート５４ｕｄはＯＲゲート５３ｕｄの出力と比較部５２ｃの出力との論理積を出力する。したがって、ＡＮＤゲート５４ｕｄは注目する放電セルが縦不安定セルであれば「Ｈ」レベルを出力する。また、ＯＲゲート５３ｒｌは比較部５２ｒの出力と比較部５２ｌの出力との論理和を出力し、ＡＮＤゲート５４ｒｌはＯＲゲート５３ｒｌの出力と比較部５２ｃの出力との論理積を出力する。したがって、ＡＮＤゲート５４ｒｌは注目する放電セルが横不安定セルであれば「Ｈ」レベルを出力する。このようにして、不安定セル検出部４２は、画像信号にもとづき横不安定セルおよび縦不安定セルを検出する。以下、ＡＮＤゲート５４ｕｄの出力およびＡＮＤゲート５４ｒｌの出力を合わせて、空間不安定セルの状態を示す「状態信号」と称する。
【００６９】
補助信号発生部４３は補助点灯セルをＳＦ１で点灯させるための補助点灯信号を発生する。
【００７０】
図１０は、本発明の実施の形態におけるプラズマディスプレイ装置３０の補助信号発生部４３の回路ブロック図である。補助信号発生部４３は、状態信号を遅延する遅延部６１と、遅延されたそれぞれの状態信号および強制初期化動作の頻度を示す初期化係数にもとづき補助信号の元となる部分補助信号を発生する部分補助信号発生部６２と、部分補助信号発生部６２のそれぞれの出力の論理和を出力するＯＲゲート６３とを有する。
【００７１】
１クロック遅延部６１ｃから出力される状態信号、すなわち１ラインと２クロック分遅延された状態信号に対応する放電セルに注目すると、１クロック遅延部６１ｕｌの出力は注目する放電セルの左上に位置する放電セルに対応する。部分補助信号発生部６２ｕｌは、１クロック遅延部６１ｕｌの出力にもとづき、注目する放電セルが空間不安定セルであって、補助点灯セルを、図５Ｄ、図５Ｇ、図５Ｈのいずれかに示したパターンとする場合に「Ｈ」レベルを出力し、それ以外の場合には「Ｌ」レベルを出力する。すなわち、部分補助信号発生部６２ｕｌは注目する放電セルの左上に位置する放電セルを補助点灯セルとする場合に「Ｈ」レベルを出力する。
【００７２】
同様に、１クロック遅延部６１ｕの出力は注目する放電セルの上に隣接する放電セルに対応し、部分補助信号発生部６２ｕは注目する放電セルの上に隣接する放電セルを補助点灯セルとする場合に「Ｈ」レベルを出力する。また、１クロック遅延部６１ｕｒの出力は注目する放電セルの右上に位置する放電セルに対応し、部分補助信号発生部６２ｕｒは注目する放電セルの右上に位置する放電セルを補助点灯セルとする場合に「Ｈ」レベルを出力する。また、１ライン遅延部６１ｌｌの出力は注目する放電セルの２つ分左に位置する放電セルに対応し、部分補助信号発生部６２ｌｌは注目する放電セルの２つ分左に位置する放電セルを補助点灯セルとする場合に「Ｈ」レベルを出力する。また、１クロック遅延部６１ｌの出力は注目する放電セルの左に隣接する放電セルに対応し、部分補助信号発生部６２ｌは注目する放電セルの左に隣接する放電セルを補助点灯セルとする場合に「Ｈ」レベルを出力する。また、１クロック遅延部６１ｒの出力は注目する放電セルの右に隣接する放電セルに対応し、部分補助信号発生部６２ｒは注目する放電セルの右に隣接する放電セルを補助点灯セルとする場合に「Ｈ」レベルを出力する。また、１クロック遅延部６１ｒｒの出力は注目する放電セルの２つ分右に位置する放電セルに対応し、部分補助信号発生部６２ｒｒは注目する放電セルの２つ分右に位置する放電セルを補助点灯セルとする場合に「Ｈ」レベルを出力する。また、１ライン遅延部６１ｄｌの出力は注目する放電セルの左下に位置する放電セルに対応し、部分補助信号発生部６２ｄｌは注目する放電セルの左下に位置する放電セルを補助点灯セルとする場合に「Ｈ」レベルを出力する。また、１クロック遅延部６１ｄの出力は注目する放電セルの下に隣接する放電セルに対応し、部分補助信号発生部６２ｄは注目する放電セルの下に隣接する放電セルを補助点灯セルとする場合に「Ｈ」レベルを出力する。また、１クロック遅延部６１ｄｒの出力は注目する放電セルの右下に位置する放電セルに対応し、部分補助信号発生部６２ｄｒは注目する放電セルの右下に位置する放電セルを補助点灯セルとする場合に「Ｈ」レベルを出力する。
【００７３】
なお、１クロック遅延部６１ｃの出力は注目する放電セルに対応し、部分補助信号発生部６２ｃは注目する放電セルが空間不安定セルであれば「Ｈ」レベルを出力する。これは空間不安定セルそのものを点灯させるために設けている。
【００７４】
ＯＲゲート６３は、部分補助信号発生部６２のそれぞれから出力される部分補助信号の論理和を計算し、補助点灯信号として出力する。
【００７５】
図１１は、本発明の実施の形態におけるプラズマディスプレイ装置３０の画像信号遅延部４４、画像データ変換部４５、画像データ合成部４６の回路ブロック図である。画像信号遅延部４４は、２ライン遅延部７２と３クロック遅延部７４とを有する。本実施の形態においては、注目する放電セルの画像信号は不安定セル検出部４２で１ラインと１クロック分遅延し、注目する放電セルの状態信号はさらに補助信号発生部４３で１ラインと２クロック分遅延する。したがって入力した画像信号を画像信号遅延部４４で２ラインと３クロック分遅延して、補助信号発生部４３から出力される補助点灯信号と位相を合わせている。
【００７６】
画像データ変換部４５は、入力した画像信号をサブフィールド毎の放電セルの点灯・非点灯を示す画像データに変換する。本実施の形態においては、メモリを用いたデータ変換テーブル７６で画像データ変換部４５を構成している。
【００７７】
画像データ合成部４６は、画像データと補助点灯信号とを合成する。本実施の形態においては、画像データ合成部４６はＯＲゲート８１を有し、画像データのＬＳＢ、すなわちＳＦ１における点灯・非点灯を示す画像データと補助点灯信号との論理和をとることで、画像データと補助点灯信号とを合成する。
【００７８】
このようにプラズマディスプレイ装置３０を構成することで、図４Ａ〜図４Ｆに示した空間不安定セルに対して図５Ａ〜図５Ｈに示したパターンで補助点灯セルを点灯させることができる。
【００７９】
なお、本実施の形態においては、補助点灯セルをＳＦ１で点灯させるものとして説明したが、点灯させる所定のサブフィールドは上記に限定されるものではない。例えばＳＦ１およびＳＦ２で点灯させてもよく、また条件により補助点灯セルを点灯させるサブフィールドを切り替えてもよい。このとき画像表示に与える影響を小さくするために、輝度重みの最も小さいサブフィールドを含むことが望ましく、また輝度重みの小さいサブフィールドから順に所定のサブフィールドとすることが望ましい。
【００８０】
また、上述した駆動回路は一例を示したものであり、駆動回路の構成は上記に限定されるものではない。
【００８１】
また、本実施の形態において示した具体的な数値等は単に一例を示したに過ぎず、パネルの特性やプラズマディスプレイ装置の仕様等に合わせて最適に設定することが望ましい。
【産業上の利用可能性】
【００８２】
本発明は、消灯セルの隣接する放電セルであっても安定した書込み動作を行い、品質の高い画像を表示することができるので、プラズマディスプレイ装置の駆動方法として有用である。
【符号の説明】
【００８３】
１０    パネル
１２    走査電極
１３    維持電極
２２    データ電極
３０    プラズマディスプレイ装置
３１    画像信号処理回路
３２    データ電極駆動回路
３３    走査電極駆動回路
３４    維持電極駆動回路
３５    タイミング発生回路
４１    画像信号配列部
４２    不安定セル検出部
４３    補助信号発生部
４４    画像信号遅延部
４５    画像データ変換部
４６    画像データ合成部
５１ｕ，５１ｃ，５１ｒ，６１ｕｌ，６１ｕ，６１ｕｒ，６１ｌ，６１ｃ，６１ｒ，６１ｒｒ，６１ｄ，６１ｄｒ    １クロック遅延部
５１ｌ，５１ｄ，６１ｌｌ，６１ｄｌ    １ライン遅延部
５２ｕ，５２ｌ，５２ｃ，５２ｒ，５２ｄ    比較部
５３ｕｄ，５３ｒｌ，６３，８１    ＯＲゲート
５４ｕｄ，５４ｒｌ    ＡＮＤゲート
６１    遅延部
６２，６２ｕｌ，６２ｕ，６２ｕｒ，６２ｌｌ，６２ｌ，６２ｃ，６２ｒ，６２ｒｒ，６２ｄｌ，６２ｄ，６２ｄｒ    部分補助信号発生部
７２    ２ライン遅延部
７４    ３クロック遅延部
７６    データ変換テーブル
【図１】
2011033921.tif 000003
【図２】
2011033921.tif 000004
【図３】
2011033921.tif 000005
【図４Ａ】
2011033921.tif 000006
【図４Ｂ】
2011033921.tif 000007
【図４Ｃ】
2011033921.tif 000008
【図４Ｄ】
2011033921.tif 000009
【図４Ｅ】
2011033921.tif 000010
【図４Ｆ】
2011033921.tif 000011
【図５Ａ】
2011033921.tif 000012
【図５Ｂ】
2011033921.tif 000013
【図５Ｃ】
2011033921.tif 000014
【図５Ｄ】
2011033921.tif 000015
【図５Ｅ】
2011033921.tif 000016
【図５Ｆ】
2011033921.tif 000017
【図５Ｇ】
2011033921.tif 000018
【図５Ｈ】
2011033921.tif 000019
【図６】
2011033921.tif 000020
【図７】
2011033921.tif 000021
【図８】
2011033921.tif 000022
【図９】
2011033921.tif 000023
【図１０】
2011033921.tif 000024
【図１１】
2011033921.tif 000025